(57)【要約】【課題】この発明は、クロストークの影響なく、ヘッダを迅速かつ正確に再生可能となるように情報の記録された光ディスクを提供することと、上記の光ディスクを再生し、クロストークの影響なく、ヘッダを迅速かつ正確に再生可能とし得る光ディスク装置を提供することとを目的としている。【解決手段】ヘッダ領域１６と、ユーザ領域１７となるウォブルされたトラック１８，１９とが交互に形成された光ディスク１１において、ユーザ領域１７のうち、ヘッダ領域１６から再生順にして一定長Ｄだけ手前となる部分に、ウォブルの位相が他の部分と反転している領域を形成している。【選択図】　　図５
2004087029.tif 000002
【特許請求の範囲】
【請求項１】
記録位置を示す位置情報が記録されたヘッダ領域と、ユーザ情報が記録されるユーザ領域とが交互に配列され、前記ユーザ領域がその配列方向に対して略直交する方向にウォブルされたトラックが形成されるもので、
前記ユーザ領域のうち、前記ヘッダ領域から再生順にして一定長手前となる部分に、前記ウォブルの位相、周波数及び振幅の少なくとも１つが他の部分と異なっている第１の領域が形成されていることを特徴とする光ディスク。
【請求項２】
前記ヘッダ領域は、隣接する前記トラックの相互間で、該トラックの配列方向に沿って位置をずらせるように形成されていることを特徴とする請求項１記載の光ディスク。
【請求項３】
前記ヘッダ領域には、プリピットによって前記位置情報が記録されており、前記ユーザ領域には、相変化によるマークによって前記ユーザ情報が記録可能であることを特徴とする請求項２記載の光ディスク。
【請求項４】
前記ユーザ領域は、物理的凸部または凹部からなるグルーブトラックと、隣接する前記グルーブトラックの相互間に形成されるランドトラックとから構成されていることを特徴とする請求項２記載の光ディスク。
【請求項５】
前記ユーザ領域のうち、前記第１の領域から再生順にして所定長手前となる部分に、前記ウォブルの位相、周波数及び振幅の少なくとも１つが、前記第１の領域を除いた他の部分と異なっている第２の領域が形成されていることを特徴とする請求項２記載の光ディスク。
【請求項６】
前記第１の領域と前記第２の領域との間の間隔は、隣接する前記トラックの相互間で、前記ヘッダ領域の位置が、該トラックの配列方向に沿ってずらされている長さに対応して設定されていることを特徴とする請求項５記載の光ディスク。
【請求項７】
記録位置を示す位置情報がプリピットによって記録されたヘッダ領域と、ユーザ情報が記録されるユーザ領域とが交互に配列され、前記ユーザ領域がその配列方向に対して略直交する方向にウォブルされたトラックが形成されるもので、
前記ユーザ領域のうち、前記ヘッダ領域から再生順にして一定長手前となる部分に、前記ウォブルの位相が他の部分と反転された領域が形成されていることを特徴とする光ディスク。
【請求項８】
記録位置を示す位置情報が記録されたヘッダ領域と、ユーザ情報が記録されるユーザ領域とが交互に配列され、前記ユーザ領域がその配列方向に対して略直交する方向にウォブルされたトラックが形成されるもので、前記ユーザ領域のうち、前記ヘッダ領域から再生順にして一定長手前となる部分に、前記ウォブルの位相、周波数及び振幅の少なくとも１つが他の部分と異なっている第１の領域が形成された光ディスクと、
この光ディスクに対物レンズを介して光ビームを集光させることにより、該光ディスクに記録されている情報に対応した電気的信号を得る光検出部と、
この光検出部で得られた電気的信号に基づいて、前記第１の領域を検出する検出部とを具備してなることを特徴とする光ディスク装置。
【請求項９】
前記光検出部で得られた電気的信号に基づいて、前記対物レンズに対するトラッキングエラー信号を生成し、このトラッキングエラー信号に基づいて、前記対物レンズをトラッキング方向に制御する制御部と、
前記検出部により前記第１の領域が検出されたことに対応して、前記制御部で生成される前記トラッキングエラー信号をホールドするホールド部とを具備してなることを特徴とする請求項８記載の光ディスク装置。
【請求項１０】
前記検出部により前記第１の領域が検出されたことに対応して、前記ヘッダ領域の再生タイミングを示すゲート信号を発生する発生部を具備し、
この発生部で発生されたゲート信号に基づいて、前記光検出部で得られた電気的信号から前記ヘッダ領域の情報を再生させることを特徴とする請求項８記載の光ディスク装置。
【請求項１１】
記録位置を示す位置情報がプリピットによって記録されたヘッダ領域と、ユーザ情報が記録されるユーザ領域とが交互に配列され、前記ユーザ領域がその配列方向に対して略直交する方向にウォブルされたトラックが形成されるもので、前記ユーザ領域のうち、前記ヘッダ領域から再生順にして一定長手前となる部分に、前記ウォブルの位相が他の部分と反転された領域が形成された光ディスクと、
この光ディスクに対物レンズを介して光ビームを集光させることにより、該光ディスクに記録されている情報に対応した電気的信号を得る光検出部と、
この光検出部で得られた電気的信号に基づいて、前記第１の領域を検出する検出部とを具備してなることを特徴とする光ディスク装置。
【請求項１２】
前記検出部は、
前記光検出部で得られた電気的信号に基づいて、前記トラックのウォブルに対応した周期のウォブル信号を生成する生成部と、
この生成部で生成されたウォブル信号に、該ウォブル信号と同位相の信号を乗算して同相信号を生成する同相信号生成部と、
前記生成部で生成されたウォブル信号に、該ウォブル信号と略９０°位相の異なる信号を乗算して直交信号を生成する直交信号生成部と、
前記同相信号生成部で生成された同相信号と、前記直交信号生成部で生成された直交信号とに基づいて、前記第１の領域を検出する領域検出部とを具備してなることを特徴とする請求項１１記載の光ディスク装置。
【発明の詳細な説明】
【０００１】
【発明の属する技術分野】
この発明は、情報の書き込みが可能な光ディスクに係り、特にその情報が記録されるトラックの所定位置に、予め位置情報を含むプリピットヘッダが記録されているものに関する。
【０００２】
また、この発明は、上記した光ディスクから記録された情報を読み取って再生する光ディスク装置に係り、特にそのプリピットヘッダの出現位置を予測して位置情報を再生するものに関する。
【０００３】
【従来の技術】
周知のように、近年では、情報を高密度で書き込むことが可能な大容量記録媒体として、円盤形状をした、例えばＤＶＤ（Ｄｉｇｉｔａｌ　Ｖｅｒｓａｔｉｌｅ　Ｄｉｓｋ）−Ｒ（Ｒｅｃｏｒｄａｂｌｅ）等の光ディスクが普及している。
【０００４】
この光ディスクには、その円周に沿って、情報記録トラックが螺旋状または同心円状に形成されている。そして、このトラックには、所定の長さ毎に、位置情報を含むプリピットヘッダが形成されている。
【０００５】
ところで、このような光ディスクを再生する際、光ディスク上に集光される光スポットは、隣接する２つのトラックのプリピットヘッダに跨らない大きさにフォーカス制御されるので、クロストークの影響を取り除くことができる。
【０００６】
しかしながら、多層構造の光ディスクの場合、光ヘッドに対して奥側の記録層に光スポットを集光させたとき、手前側の記録層には、複数のトラックのプリピットヘッダに跨る大きさの光スポットが形成されてしまい、クロストークの影響が無視できなくなる。
【０００７】
なお、特開２０００−２９３８５６号公報には、光ディスクの回転数制御を高精度化して、確実で高速なアクセスを図ることが開示されているが、上記した問題点を解決することについては、何らの記載もなされていないものである。
【０００８】
【発明が解決しようとする課題】
そこで、この発明は上記事情を考慮してなされたもので、クロストークの影響なく、ヘッダを迅速かつ正確に再生可能となるように情報の記録された光ディスクを提供することを目的とする。
【０００９】
また、この発明は、上記の光ディスクを再生し、クロストークの影響なく、ヘッダを迅速かつ正確に再生可能とし得る光ディスク装置を提供することを目的とする。
【００１０】
【課題を解決するための手段】
この発明に係る光ディスクは、記録位置を示す位置情報が記録されたヘッダ領域と、ユーザ情報が記録されるユーザ領域とが交互に配列され、ユーザ領域がその配列方向に対して略直交する方向にウォブルされたトラックが形成されるもので、
ユーザ領域のうち、ヘッダ領域から再生順にして一定長手前となる部分に、ウォブルの位相、周波数及び振幅の少なくとも１つが他の部分と異なっている第１の領域が形成されているものである。
【００１１】
また、この発明に係る光ディスク装置は、記録位置を示す位置情報が記録されたヘッダ領域と、ユーザ情報が記録されるユーザ領域とが交互に配列され、ユーザ領域がその配列方向に対して略直交する方向にウォブルされたトラックが形成されるもので、ユーザ領域のうち、ヘッダ領域から再生順にして一定長手前となる部分に、ウォブルの位相、周波数及び振幅の少なくとも１つが他の部分と異なっている第１の領域が形成された光ディスクと、
この光ディスクに対物レンズを介して光ビームを集光させることにより、該光ディスクに記録されている情報に対応した電気的信号を得る光検出部と、
この光検出部で得られた電気的信号に基づいて、第１の領域を検出する検出部とを備えるようにしたものである。
【００１２】
上記のような構成によれば、光ディスクに形成されたトラックのユーザ領域のうち、ヘッダ領域から再生順にして一定長手前となる部分に、ウォブルの位相、周波数及び振幅の少なくとも１つが他の部分と異なっている第１の領域を形成するようにしたので、この第１の領域を検出することで、ヘッダ領域が到来することを検出することが可能となる。このため、ヘッダの位置情報を迅速かつ正確に再生することが可能となり、高速アクセスを実現できるようになる。
【００１３】
【発明の実施の形態】
以下、この発明の実施の形態について、図面を参照して詳細に説明する。図１は、この実施の形態で説明するプリフォーマット方式を用いた光ディスク１１の断面を示している。すなわち、ポリカーボネートからなる基板１２上に、例えば相変化記録膜を含む情報記録層１３が形成される。
【００１４】
なお、光ディスク１１が再生専用ディスクの場合には、相変化記録膜の代わりに金属反射膜による情報記録層１３が形成される。
【００１５】
次に、この情報記録層１３の上に、厚さｔの光透過層（カバー層）１４が形成される。このカバー層１４は、例えばプラスチック材料からなる厚さｔのシートである。このシートが、基板１２上に形成された情報記録層１３の上に、粘着剤や紫外線硬化樹脂を介して接着されている。
【００１６】
図２は、光ディスク１１上における情報記録形態を示している。光ディスク１１の情報記録層１３上には、螺旋状あるいは同心円状に情報記録トラック１５が形成されている。
【００１７】
この情報記録トラック１５は、物理的な凹凸による案内溝により形成され、凹部、凸部、あるいはその両方に、情報が例えば相変化によるマークによって記録される。
【００１８】
なお、光ディスク１１が再生専用ディスクの場合には、情報記録トラック１５はプリピットの配列により予め形成されている。
【００１９】
そして、この情報記録トラック１５には、アドレス情報等が予め記録されたヘッダ領域１６と、ユーザ情報を記録するユーザ領域１７とが、交互に配列されている。
【００２０】
図３は、ヘッダ領域１６及びユーザ領域１７におけるデータのレイアウトを示している。まず、ヘッダ領域１６の各構成部分の内容は、次の通りである。ＶＦＯフィールドは、読み取りチャンネルビットの位相同期ループの可変周波数発振器に同期を与えるためのフィールドである。
【００２１】
ＡＭフィールドは、次のＰＩＤフィールドのために、光ディスク装置にバイト同期を与えるためのフィールドである。ＰＩＤフィールドは、予備領域、ＰＩＤ番号、セクタタイプ、レイヤ番号、セクタ番号等からなるデータが格納されているフィールドである。
【００２２】
ＩＥＤ（ＩＤ誤り検出符号）フィールドは、ＰＩＤフィールドのデータに発生した誤りを検出するためのフィールドである。ＰＡフィールドは、先行するＩＥＤフィールドの最後のバイトを、変調方式に基づいて完結させるためのデータからなるフィールドである。
【００２３】
一方、ユーザ領域１７の各構成部分の内容は、次の通りである。ＧＡＰ１フィールドは、ヘッダ領域１６の再生から続くＧＵＡＲＤフィールド書き込みまでの時間的余裕を与えるフィールドである。
【００２４】
ＧＵＡＲＤ１フィールドは、繰り返しオーバーライトにより、続くＶＦＯフィールドの開始端劣化を防ぐためのデータを記録する。また、読み取りチャンネルビットの位相同期ループの可変周波数発振器に同期を与えるためのフィールドである。
【００２５】
ＰＳフィールドは、続くデータフィールドのためのバイト同期を与えるためのフィールドである。ＤＡＴＡフィールドは、ユーザデータを記録するためのフィールドである。ＰＡフィールドは、先行するＤＡＴＡフィールドに続いて、変調方式に基づいてバイトを完結させるためのデータからなるフィールドである。
【００２６】
ＧＵＡＲＤ２フィールドは、ＤＡＴＡフィールドの終端劣化を防ぐためのデータを記録する。また、実際の記録データ長の理想値からのずれを補償するためのフィールドである。ＧＡＰ２フィールドは、回転むらによる実際のデータ長のばらつきを補償するためのフィールドである。
【００２７】
図４（ａ），（ｂ）は、プリフォーマット方式を用いた光ディスク１１のプリピットヘッダ近傍の詳細を示している。この光ディスク１１は、いわゆるランド＆グルーブ記録フォーマットの光ディスクである。
【００２８】
つまり、この光ディスク１１には、物理的な凹部あるいは凸部により形成されたグルーブトラック１８と、隣接する２つのグルーブトラック１８の間に相対的に形成されたランドトラック１９とが、上記情報記録トラック１５として配置されている。
【００２９】
これらグルーブトラック１８及びランドトラック１９には、それぞれ、例えば光ディスク１１の相変化によりユーザデータが反映されたマークが記録可能である。
【００３０】
グルーブトラック１８及びランドトラック１９は、それぞれ、ユーザデータの記録単位毎に、その先頭の一部が途切れている。この途切れた領域（ヘッダ領域１６）には、例えば記録単位の番号（アドレス）を示す識別情報が、微小な凹部あるいは凸部で構成されるプリピットヘッダ２０，２１として、予め記録されている。
【００３１】
ヘッダ領域１６は、グルーブトラック１８及びランドトラック１９の延長線上に、それぞれ記録される。このとき、グルーブトラック１８上のプリピットヘッダ２０と、ランドトラック１９上のプリピットヘッダ２１とは、隣接するトラック１８，１９間で一定長ずつ円周方向にずらして配置されている。また、グルーブトラック１８は、一定周期で蛇行（ウォブル）している。
【００３２】
なお、このようにプリピットヘッダ２０，２１を、隣接するトラック１８，１９間で一定長ずつ円周方向にずらせることについては、本件と同じ発明者によって発明され、同じ出願人によって出願された、特願２００１−３５６２３７号に詳しく記載されている。
【００３３】
図５は、光ディスク１１のヘッダ領域１６の近傍を拡大して示している。ヘッダ領域１６には、グルーブトラック１８及びランドトラック１９のプリピットヘッダ２０，２１が記録されている。
【００３４】
なお、図５では、グルーブトラック１８及びランドトラック１９を、それらの符号１８，１９に添字ａ，ｂ，ｃ，ｄ等を付して区別可能としている。そして、プリピットヘッダ２０，２１には、光ディスク１１の物理的位置情報（アドレス情報）等を含むデータが、プリピット列により記録されている。
【００３５】
一方、ユーザ領域１７は、グルーブトラック１８及びランドトラック１９で構成されている。ヘッダ領域１６は、グルーブトラック１８及びランドトラック１９が途切れた領域であり、隣接するトラック１８，１９毎に一定長Ｓずつトラック接線方向にずれて形成されている。
【００３６】
グルーブトラック１８は、一定周期で蛇行（ウォブル）されており、これに伴ってランドトラック１９も一定周期でウォブルされている。光ディスク１１の再生あるいは記録時には、このウォブルに基づいて一定周波数信号を再生し、光ディスク１１の回転同期信号等に用いることができる。
【００３７】
グルーブトラック１８は、ヘッダ領域１６の直前でトラック終端（トラックエンド）となり、ウォブルが途切れている。また、グルーブトラック１８は、トラックエンドから一定長Ｄだけ手前で、ウォブルの周期が反転している。このウォブルの周期が反転している期間は、例えば２波長（２ウォブル）分Ｌである。
【００３８】
また、グルーブトラック１８では、トラックエンドより一定長Ｄ手前の位置から、さらに一定長Ｓだけ手前においても、ウォブルの周期が２ウォブル分反転している。ここで、上記の一定長Ｓは、隣接するグルーブトラック１８間のずれ量Ｓに等しく設定されている。
【００３９】
このようにグルーブトラック１８のウォブルに反転部分を形成すると、ランドトラック１９においても、トラックエンドから一定長Ｄだけ手前で両側のウォブルが揃って反転する区間（ａ）が生ずる。
【００４０】
この場合、ランドトラック１９のトラックエンドは、図５で言えば、そのランドトラック１９の上側に位置するグルーブトラック１８の終端位置を意味する。例えば、ランドトラック１９ａのトラックエンドは、グルーブトラック１８ａのトラックエンドと同じ位置である。
【００４１】
これは、例えば、ランドトラック１９ａで言えば、その一方側にグルーブトラック１８ｂが存在し、他方側にグルーブトラック１８ａが存在しなくなる位置だからである。
【００４２】
このようにして、光ディスク１１では、グルーブトラック１８及びランドトラック１９のいずれにおいても、トラック構造の終端部、つまり、トラック構造が途切れるか、または、両側のいずれかのトラック構造が崩れる部分の、一定長Ｄだけ手前の位置において、一定周期のウォブルに反転部分が２ウォブル分挿入されることになる。
【００４３】
この光ディスク１１によれば、まず、隣接するグルーブトラック１８及びランドトラック１９間で、プリピットヘッダ２０，２１を一定長ずつ円周方向にずらせるようにしている。
【００４４】
このため、光ディスク１１を多層構造にし、光ヘッドに対して奥側の記録層に光スポットを集光させた場合でも、手前側の記録層に形成される光スポットが、複数のトラックのプリピットヘッダに跨ることがなくなり、クロストークの影響を取り除くことが可能となる。
【００４５】
また、光ディスク１１の再生時には、ウォブルの周期が反転することを検知することにより、トラックエンド及びヘッダ領域１６の到来を予測することが可能となる。
【００４６】
このため、プリピットヘッダ２０，２１ひいてはアドレス情報を、迅速かつ正確に再生することができるようになるので、高速アクセスを可能とすることができる。
【００４７】
なお、図５に示した例では、プリピットヘッダ２０，２１の手前において、グルーブトラック１８及びランドトトラック１９におけるウォブルの位相を反転させるようにしている。
【００４８】
しかしながら、これに限らず、例えばウォブルの周波数または振幅等を変えるようにしたり、さらには、位相、周波数及び振幅を任意選択的に組み合わせて変化させるようにしても良いものである。
【００４９】
図６は、上記した光ディスク１１に対して記録再生を行なうための光ディスク装置の光学系（光ヘッド）を示している。すなわち、光源には、短波長の半導体レーザ２２が用いられる。この半導体レーザ２２の出射光の波長は、例えば３９５ｎｍ〜４１５ｎｍの範囲の紫色波長帯のものである。
【００５０】
半導体レーザ２０からの出射光２３は、コリメートレンズ２４により平行光となり、偏光ビームスプリッタ２５及びλ／４板２６を透過する。そして、リレーレンズ系２７を透過した後、対物レンズ２８に入射する。その後、光ディスク１１のカバー層１４を透過し、情報記録層１３に集光される。
【００５１】
光ディスク１１の情報記録層１３による反射光２９は、再び光ディスク１１のカバー層１４を透過し、対物レンズ２８、リレーレンズ系２７及びλ／４板２６を逆行し、偏光ビームスプリッタ２５で直角に反射された後、光検出系３０を透過して光検出器３１に入射する。
【００５２】
光検出器３１の受光部は、光ディスク１１のトラック円周方向に平行な分割線に沿って、少なくとも２つの領域に分割されており、それぞれの受光領域から光強度に応じた電流を出力する。
【００５３】
出力された電流は、電流電圧変換された後、演算回路３２に供給されて、ＨＦ（Ｈｉｇｈ　Ｆｒｅｑｕｅｎｃｙ）信号、２分割受光領域の差信号、フォーカス誤差信号及びトラック誤差信号等に演算処理される。
この演算回路３２で生成されたＨＦ信号は、再生処理に供される。また、２分割受光領域の差信号、フォーカスエラー信号及びトラッキングエラー信号は、それぞれサーボ・ドライバ３３に供給されて、駆動部３４，３５に与える駆動信号の生成に供される。
【００５４】
ここで、上記リレーレンズ系２７は、ボトムレンズ２７ａ及びトップレンズ２７ｂにより構成される。トップレンズ２７ｂは、光軸方向に移動可能である。トップレンズ２７ｂの移動は、上記駆動部３４により行なわれる。リレーレンズ系２７は、光ディスク１１のカバー層１４の規定値からの厚み誤差に伴なう球面収差を補正するために用いられる。
【００５５】
また、上記対物レンズ２８は、２種類のレンズ２８ａ，２８ｂを組み合わせた構成となっており、上記駆動部３５により、フォーカス方向及びトラッキング方向への移動が行なわれる。
【００５６】
図７は、上記光ディスク装置におけるサーボ系の詳細を示している。まず、光ヘッド３６では、光ディスク１１からの反射光によりフォーカスエラー信号ＦＥＳとトラッキングエラー信号ＴＥＳとを生成し出力している。
【００５７】
フォーカスエラー信号ＦＥＳは、情報記録層１３に照射されたビームスポットの、フォーカス方向のずれに対応した電気信号である。フォーカスエラーの検出方法としては、公知の非点収差法、ナイフエッジ法、スポットサイズ検出法等が用いられる。フォーカスエラー検出にどの方法を用いるかは、この発明の本質とは関係なく、どの方式を用いても良い。
【００５８】
また、トラッキングエラー信号ＴＥＳは、情報記録層１３に照射されたビームスポットの、情報記録トラック１５からの径方向のずれに対応した電気信号である。トラッキングエラーの検出方法としては、公知のプッシュプル法、ＤＰＰ（Ｄｉｆｆｅｒｅｎｔｉａｌ　Ｐｕｓｈ−Ｐｕｌｌ）法、ＤＰＤ（Ｄｉｆｆｅｒｅｎｔｉａｌ　Ｐｈａｓｅ　Ｄｅｔｅｃｔｉｏｎ）法等が用いられる。トラッキングエラー検出にどの方法を用いるかは、この発明の本質とは関係なく、どの方式を用いても良い。
【００５９】
光ディスク１１は、光ディスク装置に装填されると、図示しないスピンドルモータにより、線速度一定あるいは回転数一定に回転制御される。フォーカスエラー信号ＦＥＳは、位相補償回路３７を経由し増幅器３８で適切な信号増幅が行なわれた後、フォーカス駆動回路３９に入力される。
【００６０】
ＣＰＵ（Ｃｅｎｔｒａｌ　Ｐｒｏｃｅｓｓｉｎｇ　Ｕｎｉｔ）４０は、光ディスク１１の回転、半導体レーザ２２の点灯等の事前処理を終了した後、フォーカス駆動回路３９にバス４１を介してフォーカスＯＮ信号を出力する。
【００６１】
これにより、フォーカス駆動回路３９からは、上記駆動部３５を構成する対物レンズアクチュエータ３５ａのフォーカスコイルに駆動信号が出力され、フォーカス制御が行なわれる。
【００６２】
また、トラッキングエラー信号ＴＥＳは、位相補償回路４２を経由し増幅器４３で適切な信号増幅が行なわれた後、Ｓ／Ｈ（Ｓａｍｐｌｅ／Ｈｏｌｄ）回路４４を介してトラッキング駆動回路４５に入力される。
【００６３】
ＣＰＵ４０は、フォーカスロックの確認後、トラッキング駆動回路４５にバス４１を介してトラッキングＯＮ信号を出力する。これにより、トラッキング駆動回路４５からは、対物レンズアクチュエータ３５ａのトラッキングコイルに駆動信号が出力され、トラッキング制御が行なわれる。
【００６４】
球面収差を補正するリレーレンズ系２７は、そのトップレンズ２７ｂが上記駆動部３４を構成するアクチュエータ３４ａにより光軸方向に駆動される。ＣＰＵ４０は、リレーレンズ駆動回路４６にバス４１を介して球面収差調整信号を出力する。これにより、リレーレンズ駆動回路４６からは、アクチュエータ３４ａに駆動信号が出力され、球面収差補正量の調整が行なわれる。
【００６５】
ここで、この光ディスク装置では、光ディスク１１上のヘッダ領域１６の直前を検知して、トラッキングエラー信号ＴＥＳを一定期間ホールドするようにしている。また、ヘッダ領域１６を検知して、アドレス情報が記録されたプリピットヘッダ２０，２１を再生するためのヘッダゲート信号を発生させている。
【００６６】
すなわち、グルーブトラック１８及びランドトラック１９と、プリピットヘッダ２０，２１とでは、光ディスク１１の物理的構造が大きく異なる。このため、グルーブトラック１８及びランドトラック１９にて得られるトラッキングエラー信号ＴＥＳが、プリピットヘッダ２０，２１では十分に正確に得られないことがある。
【００６７】
そこで、プリピットヘッダ２０，２１の直前でトラッキングエラー信号ＴＥＳをホールド（保持）して、プリピットヘッダ２０，２１でトラッキングサーボが乱されるのを防ぐ処置がとられている。
【００６８】
この場合、各トラックでプリピットヘッダの出現する位置（回転角）が一定している場合には、光ヘッドがトラック間を移動した場合でも、プリピットヘッダの出現する位置（回転角）が予測できるため、プリピットヘッダの直前でトラッキングエラー信号をホールドするための信号を出すことは困難ではない。
【００６９】
ところが、上記のようにプリピットヘッダの出現する位置（回転角）がトラック毎にずれていると、特に数トラック以上の移動を行なった場合に、プリピットヘッダの出現する位置（回転角）が判定できなくなってしまい、プリピットヘッダの出現する直前でトラッキングエラー信号をホールドするのは困難である。
【００７０】
また、プリピットヘッダの出現位置が不明であることは、プリピットヘッダの再生タイミングが把握しずらいことになり、プリピットヘッダの再生すなわちアドレスの再生に遅延をきたし、アクセス速度の低下を招くことになる。
【００７１】
このため、この光ディスク装置では、光ディスク１１上のヘッダ領域１６の直前を検知することによって、トラッキングエラー信号ＴＥＳのホールドや、プリピットヘッダ２０，２１の再生に対処することが行なわれる。
【００７２】
すなわち、光ヘッド３６では、その２分割受光領域の差信号から、光ディスク１１のトラック１８，１９のウォブル信号を再生する。この差信号は、ヘッダ検知回路４７に入力される。ヘッダ検知回路４７では、詳細は後述するが、光ディスク１１上のヘッダ領域１６の到来を検知して、サーボゲート信号をバス４１を介してＣＰＵ４０に送出する。
【００７３】
ＣＰＵ４０では、サーボゲート信号に応じて、Ｓ／Ｈ信号をＳ／Ｈ回路４４に出力する。Ｓ／Ｈ回路４４では、Ｓ／Ｈ信号に応じてトラッキングエラー信号ＴＥＳを制御し、光ヘッド３６からのトラッキングエラー信号ＴＥＳが乱されるヘッダ領域１６においては、トラッキングエラー信号ＴＥＳをその直前でホールドし、トラッキングサーボを安定させる。
【００７４】
また、ヘッダ検知回路４７は、ヘッダ領域１６の到来を検知して、ヘッダゲート信号をバス４１を介してＣＰＵ４０に送出する。ＣＰＵ４０では、ヘッダゲート信号により、ヘッダ領域１６のプリピットヘッダ２０，２１に格納されたアドレス情報等を、ＨＦ信号から効率よく再生する。
【００７５】
図８は、ヘッダ検知回路４７の詳細を示している。すなわち、光ヘッド３６からの差信号（ウォブル信号）Ｓｗｏｂは、乗算器４７ａにて同位相の信号ｃｏｓ（ωｃｔ）と乗算される。
【００７６】
この乗算器４７ａの出力は、低域通過フィルタ（ＬＰＦ）４７ｂにてウォブル信号帯域外の雑音を取り除かれることにより、同相信号ＹＩとなってウォブルマーク検出回路４７ｃに供給される。
【００７７】
また、光ヘッド３６からの差信号（ウォブル信号）Ｓｗｏｂは、乗算器４７ｄにて９０度位相のずれた信号−ｓｉｎ（ωｃｔ）と乗算される。この乗算器４７ｄの出力は、ＬＰＦ４７ｅにてウォブル信号帯域外の雑音を取り除かれることにより、直交信号ＹＱとなってウォブルマーク検出回路４７ｃに供給される。
【００７８】
ウォブルマーク検出回路４７ｃは、入力された同相信号ＹＩ及び直交信号ＹＱから、グルーブトラック１８及びランドトラック１９の位相反転信号（ウォブルマーク信号）を検出する。このウォブルマーク信号は、ゲート信号生成回路４７ｆに送られる。
【００７９】
また、上記ウォブル信号Ｓｗｏｂは、ＰＬＬ（Ｐｈａｓｅ　Ｌｏｃｋｅｄ　Ｌｏｏｐ）回路４７ｇに送られ、その周波数と位相に同期したクロックが生成され、ゲート信号生成回路４７ｆに送られる。
【００８０】
このゲート信号生成回路４７ｆでは、ウォブルマーク信号とＰＬＬ回路４７ｇからのクロックとに基づいて、ヘッダ領域１６でトラッキングエラー信号ＴＥＳをホールドするためのサーボゲート信号と、ヘッダ領域１６のプリピットヘッダ２０，２１を再生するためのヘッダゲート信号とをそれぞれ生成する。
【００８１】
図９（ａ），（ｂ）は、グルーブトラック１８及びランドトラック１９の、ヘッダ領域１６の直前部分における、ウォブル信号Ｓｗｏｂの波形をそれぞれ示している。
【００８２】
グルーブトラック１８のウォブル信号Ｓｗｏｂは、図９（ａ）に領域Ｗ１で示すように、トラックエンドから例えば２０ウォブル分手前で、２ウォブル分の位相が反転している。さらに、領域Ｗ２で示すように、トラックエンドから２０＋１２ウォブル分手前で、２ウォブル分の位相が反転している。
【００８３】
一方、ランドトラック１９のウォブル信号Ｓｗｏｂは、グルーブトラック１８のウォブル信号と同じく、図９（ｂ）に領域Ｗ１で示すように、トラックエンドから例えば２０ウォブル分手前で、２ウォブル分位相が反転している。
【００８４】
また、ランドトラック１９のウォブル信号Ｓｗｏｂは、図９（ｂ）に領域Ｗ３，Ｗ２で示すように、トラックエンドから８ウォブル分手前で２ウォブル分、２０＋１２ウォブル分手前で２ウォブル分は、０レベルとなる。これは、ランドトラック１９に隣接するグルーブトラック１８のうち、どちらか片側のみのウォブル信号が位相反転している箇所に相当する。
【００８５】
図１０（ａ），（ｂ）は、ヘッダ検知回路４７における同相信号ＹＩ及び直交信号ＹＱの波形を示している。図１０（ａ）は、グルーブトラック１８における信号波形である。同相信号ＹＩは、ウォブル信号Ｓｗｏｂの位相が反転している領域Ｗ１，Ｗ２では−１となり、それ以外の領域では＋１となる。また、直交信号ＹＱは、常に０となる。
【００８６】
図１０（ｂ）は、ランドトラック１９における信号波形である。同相信号ＹＩは、ウォブル信号Ｓｗｏｂの位相が反転している領域Ｗ１では−１となり、ウォブル信号が０レベルとなる領域Ｗ２，Ｗ３では同じく０レベルとなる領域では＋１となる。また、直交信号ＹＱは、常に０となる。
【００８７】
したがって、グルーブトラック１８及びランドトラック１９共に、同相信号ＹＩの信号レベルを判定することにより、ウォブル信号の位相反転、つまり、トラックエンドから一定長手前の位置を表わす信号を検出することができる。
【００８８】
すなわち、同相信号ＹＩの信号レベルが基準ウォブルに対応したレベルである＋１から、位相反転ウォブルに対応したレベルである−１に推移するタイミングを検出することにより、２０ウォブル後にトラックエンドが到来することを予期することができるのである。
【００８９】
ここで、図５に示したような光ディスク１１の場合における、トラックエンドの検出と、プリピットヘッダ２０，２１を再生するためのヘッダゲート信号の生成との例について説明する。
【００９０】
ただし、図５で、各種物理長をウォブル１波長を単位として表わした場合に、Ｓが１２ウォブル、Ｄが１９ウォブル、Ｌが２ウォブル、プリピットヘッダ２０，２１長が６ウォブルとする。
【００９１】
ユーザ領域１７の記録あるいは再生中には、ヘッダ領域１６の直前までは２分割受光領域の差信号として、基準ウォブル信号が連続して出力される。グルーブトラック１８では、トラックエンドから３３ウォブル手前で２ウォブルに渡って位相反転ウォブル信号が検出され、ヘッダ検知回路４７の同相信号ＹＩのレベルが＋１から−１へと変動する。
【００９２】
そして、ゲート信号生成回路４７ｆは、同相信号ＹＩが２ウォブルに渡って−１となり、＋１に戻った直後からＰＬＬ回路４７ｇの出力クロックを１９ウォブル分カウントし始める。
【００９３】
しかし、１０ウォブル分カウントした直後から、再度、同相信号ＹＩが２ウォブルに渡って−１となり＋１に戻るため、クロックのカウントをリセットし１９ウォブル分のカウントを再開する。
【００９４】
１９ウォブルのカウント後、ゲート信号生成回路４７ｆでは、トラッキングエラー信号ＴＥＳのサーボゲート信号を１８ウォブル分発生させ、バス４１を介してＳ／Ｈ回路４４に入力させる。このようにして、ヘッダ領域１６を再生する間は、トラッキングエラー信号ＴＥＳはヘッダ領域１６の直前の信号を保持する。
【００９５】
一方、ゲート信号生成回路４７ｆでは、２度目に同相信号ＹＩが−１から＋１に遷移した後に、ＰＬＬ回路４７ｇの出力クロックを２５ウォブル分カウントする。
【００９６】
そして、この２５ウォブル分のカウント後、６ウォブル分に渡ってプリピットヘッダ２０のヘッダゲート信号を発生させる。このヘッダゲート信号が開いている間が、プリピットヘッダ２０を再生するタイミングとなる。
【００９７】
また、ランドトラック１９では、トラックエンドから２１ウォブル手前で、２ウォブルに渡って位相反転ウォブル信号が検出され、ヘッダ検知回路４７の同相信号ＹＩのレベルが＋１から−１に変動する。
【００９８】
ここで、ゲート信号生成回路４７ｆは、同相信号ＹＩが２ウォブルに渡って−１となり＋１に戻った直後から、ＰＬＬ回路４７ｇの出力クロックを１９ウォブル分カウントし始める。
【００９９】
そして、この１９ウォブルのカウント後、ゲート信号生成回路４７ｆでは、トラッキングエラー信号ＴＥＳのサーボゲート信号を３０ウォブル分発生させ、バス４１を介してＳ／Ｈ回路４４に入力させる。このようにして、プリピットヘッダ２１及びその前後の６ウォブル分を再生する間は、トラッキングエラー信号ＴＥＳがヘッダ領域１６の直前の信号を保持する。
【０１００】
一方、ゲート信号生成回路４７ｆは、同相信号ＹＩが−１から＋１に遷移した後、ＰＬＬ回路４７ｇの出力クロックを３１ウォブル分カウントする。そして、３１ウォブル分のカウント後、６ウォブル分に渡ってヘッダゲート信号を発生させる。このヘッダゲート信号が開いている間が、プリピットヘッダ２１を再生するタイミングとなる。
【０１０１】
なお、この発明は上記した実施の形態に限定されるものではなく、この外その要旨を逸脱しない範囲で種々変形して実施することができる。
【０１０２】
【発明の効果】
以上詳述したようにこの発明によれば、クロストークの影響なくプリピットヘッダを迅速かつ正確に再生可能となるように情報の記録された光ディスクを提供することができる。
【０１０３】
また、この発明によれば、上記の光ディスクを再生し、クロストークの影響なくプリピットヘッダを迅速かつ正確に再生可能とし得る光ディスク装置を提供することができる。
【図面の簡単な説明】
【図１】この発明の実施の形態を示すもので、光ディスクの構造を説明するために示す断面図。
【図２】同実施の形態における光ディスク上に記録された情報の記録形態を説明するために示す図。
【図３】同実施の形態における光ディスクのヘッダ領域及びユーザ領域のデータレイアウトを説明するために示す図。
【図４】同実施の形態における光ディスクのプリピットヘッダ近傍の詳細を説明するために示す図。
【図５】同実施の形態における光ディスクのグルーブトラック及びランドトラックのウォブルを説明するために示す図。
【図６】同実施の形態における光ディスク装置の光学系を説明するために示すブロック構成図。
【図７】同実施の形態における光ディスク装置のサーボ系を説明するために示すブロック構成図。
【図８】同実施の形態におけるヘッダ検知回路の詳細を説明するために示すブロック構成図。
【図９】同実施の形態におけるグルーブトラック及びランドトラックから得られるウォブル信号を説明するために示す図。
【図１０】同実施の形態におけるヘッダ検知回路から出力される同相信号と直交信号とを説明するために示す図。
【符号の説明】
１１…光ディスク、
１２…基板、
１３…情報記録層、
１４…カバー層、
１５…情報記録トラック、
１６…ヘッダ領域、
１７…ユーザ領域、
１８…グルーブトラック、
１９…ランドトラック、
２０…プリピットヘッダ、
２１…プリピットヘッダ、
２２…半導体レーザ、
２３…出射光、
２４…コリメートレンズ、
２５…偏光ビームスプリッタ、
２６…λ／４板、
２７…リレーレンズ系、
２８…対物レンズ、
２９…反射光、
３０…光検出系、
３１…光検出器、
３２…演算回路、
３３…サーボ・ドライバ、
３４…駆動部、
３５…駆動部、
３６…光ヘッド、
３７…位相補償回路、
３８…増幅器、
３９…フォーカス駆動回路、
４０…ＣＰＵ、
４１…バス、
４２…位相補償回路、
４３…増幅器、
４４…Ｓ／Ｈ回路、
４５…トラッキング駆動回路、
４６…リレーレンズ駆動回路、
４７…ヘッダ検知回路。
【図１】
2004087029.tif 000003
【図２】
2004087029.tif 000004
【図３】
2004087029.tif 000005
【図４】
2004087029.tif 000006
【図５】
2004087029.tif 000007
【図６】
2004087029.tif 000008
【図７】
2004087029.tif 000009
【図８】
2004087029.tif 000010
【図９】
2004087029.tif 000011
【図１０】
2004087029.tif 000012